(57)【要約】【課題】先行技術文献を容易かつ迅速に調査することができるように図面を表示することができる文献調査支援プログラムを提供する。【解決手段】パソコン１０が、文献用記憶装置１１を参照して、明細書データに記載された墨付き括弧で囲まれた識別子「図面の簡単な説明」が示す内容から前記図面の種類を分類した分類リストを作成する。パソコン１０は、該分類リストを参照して、マウス２２にて指定された種類に該当する図面を複数の特許文献に含まれる図面の中から判別する。そして、パソコン１０は、判別した図面に関するデータを検索し、検索した図面に関するデータに基づいて、マウス２２にて指定された種類に該当する図面を表示部に一覧表示する。【選択図】        図１
2004151957.tif 000002
【特許請求の範囲】
【請求項１】
特許法に従った書式で作成された特許文献を記憶した記憶手段と接続されたパソコンが、前記パソコンに備えられた表示部に前記特許文献に含まれる図面を表示する文献調査支援プログラムにおいて、
前記パソコンに、
前記特許文献に含まれる明細書のデータに基づいて、該明細書に記載された墨付き括弧で囲まれた識別子「図面の簡単な説明」が示す内容を解析し、複数の特許文献に含まれる図面の中から前記パソコンに備えられた入力手段にて指定された種類に該当する図面を判別する判別処理と、
前記判別処理にて判別された図面を前記表示部に一覧表示する表示処理と、
を実行させることを特徴とする文献調査支援プログラム。
【請求項２】
前記判別処理において、前記パソコンは、前記識別子「図面の簡単な説明」が示す内容に含まれる分類文字列を特定し、特定した分類文字列によって前記入力手段にて指定された種類に該当する図面を判別することを特徴とする請求項１に記載の文献調査支援プログラム。
【請求項３】
前記明細書のデータは、墨付き括弧で囲まれた段落番号として表された識別子「Ｎ」（Ｎは、１以上の整数）によって段落分けされ、
前記パソコンに、
前記表示部に図面と該図面を示す図面番号とを表示し、該図面番号が前記入力手段にて指定されたとき、指定された図面番号が示す図面を含む特許文献を特定し、特定した該特許文献の明細書のデータから指定された該図面番号と一致する文字列を含む段落を検索し、該段落を前記表示部に表示する段落表示処理を実行させることを特徴とする請求項１又は２に記載の文献調査支援プログラム。
【請求項４】
前記パソコンに、表示部に一覧表示された図面のうち１つが前記入力手段にて指定されることによって、前記表示部に該図面を拡大表示する拡大表示処理を実行させることを特徴とする請求項１〜３のいずれか一項に記載の文献調査支援プログラム。
【請求項５】
前記パソコンに、前記表示部に一覧表示された図面を前記入力手段にて順番に指定されると、指定された順番に通し番号を付与して図面を表示部に表示する編集処理を実行させることを特徴とする請求項１〜４のいずれか一項に記載の文献調査支援プログラム。
【発明の詳細な説明】
【０００１】
【発明の属する技術分野】
本発明は、文献調査支援プログラムに関するものである。
【０００２】
【従来の技術】
従来、先行技術調査を行う調査者は、公開特許公報などの特許文献に含まれる図面の記載を手がかりにして、先行技術文献を探し出す場合がある。この場合、調査者は、特許文献が記憶された記憶装置から調査対象とする特許文献を絞り込み、その中から適当に一の特許文献を選択し、該特許文献に含まれる図面をパソコンに表示させる。そして、調査者は、表示された図面を手がかりにして、選択した特許文献が探していた先行技術文献であるか否かを判断していた。
【０００３】
ところで、特許文献に含まれる図面を見やすく、かつ、迅速に調査可能とするために、パソコンにて対象とする一の特許文献に含まれる図面全てをパソコンの表示部に一覧表示させていた（例えば、特許文献１）。
【０００４】
【特許文献１】
特開平１０−１６２０１５号公報
【０００５】
【発明が解決しようとする課題】
しかし、従来の方法は、パソコンに全ての図面を一覧表示させるといっても、一の特許文献を対象として、その特許文献に含まれる図面を一覧表示させるだけである。即ち、手がかりとして最適な図面を探し出すために、複数の特許文献から同じ種類の図面を検索し、並べて表示することができなかった。調査者は、複数の特許文献に含まれる同じ種類の図面を見比べるために、その都度、明細書に記載された図面の簡単な説明から図面の種類を判断し、パソコンに表示させなくてはならなかったので、相変わらず手間と時間を費やしていた。
【０００６】
また、調査者が、図面の一覧表示から先行技術文献を探し出すための手がかりとして適当であると思われる図面を発見し、その図面が実際にはどのような図面かについて詳細な説明を知りたい場合がある。この場合には、調査者は、一覧表示された図面の図面番号に基づいて、明細書の中から該図面について説明されている段落を自ら探し出さなければならなかったので、この作業にも手間と時間を費やしていた。
【０００７】
本発明は上記問題点を解決するためになされたものであって、その目的は、先行技術文献を容易かつ迅速に調査することができるように図面を表示する文献調査支援プログラムを提供することにある。
【０００８】
【課題を解決するための手段】
上記目的を達成するために、請求項１に記載の発明は、特許法に従った書式で作成された特許文献を記憶した記憶手段と接続されたパソコンが、前記パソコンに備えられた表示部に前記特許文献に含まれる図面を表示する文献調査支援プログラムにおいて、前記パソコンに、前記特許文献に含まれる明細書のデータに基づいて、該明細書に記載された墨付き括弧で囲まれた識別子「図面の簡単な説明」が示す内容を解析し、複数の特許文献に含まれる図面の中から前記パソコンに備えられた入力手段にて指定された種類に該当する図面を判別する判別処理と、前記判別処理にて判別された図面を前記表示部に一覧表示する表示処理と、を実行させる。
【０００９】
請求項２に記載の発明は、前記判別処理において、前記パソコンは、前記識別子「図面の簡単な説明」が示す内容に含まれる分類文字列を特定し、特定した分類文字列によって前記入力手段にて指定された種類に該当する図面を判別する。
【００１０】
請求項３に記載の発明は、前記明細書のデータは、墨付き括弧で囲まれた段落番号として表された識別子「Ｎ」（Ｎは、１以上の整数）によって段落分けされ、前記パソコンに、前記表示部に図面と該図面を示す図面番号とを表示し、該図面番号が前記入力手段にて指定されたとき、指定された図面番号が示す図面を含む特許文献を特定し、特定した該特許文献の明細書のデータから指定された該図面番号と一致する文字列を含む段落を検索し、該段落を前記表示部に表示する段落表示処理を実行させる。
【００１１】
請求項４に記載の発明は、前記パソコンに、表示部に一覧表示された図面のうち１つが前記入力手段にて指定されることによって、前記表示部に該図面を拡大表示する拡大表示処理を実行させる。
【００１２】
請求項５に記載の発明は、前記パソコンに、前記表示部に一覧表示された図面を前記入力手段にて順番に指定されると、指定された順番に通し番号を付与して図面を表示部に表示する編集処理を実行させる。
【００１３】
（作用）
請求項１又は２に記載の発明によれば、パソコンは、複数の特許文献に含まれる図面から、入力手段にて指定された図面の種類に該当する図面を一覧表示する。
【００１４】
請求項３に記載の発明によれば、パソコンは、入力手段にて選択された図面番号と一致する文字列を含む段落を明細書に関するデータから検索する。そして、パソコンは、該段落を表示部に表示する。
【００１５】
請求項４に記載の発明によれば、パソコンは、入力手段にて指定された図面を表示部に拡大して表示する。
請求項５に記載の発明によれば、パソコンは、入力手段にて選択された順に、通し番号を付与して図面を表示部に表示する。
【００１６】
【発明の実施の形態】
以下、本発明を具体化した一実施形態を図面に従って説明する。
図１に示す調査者が所有するパソコン１０には、記憶手段としての文献用記憶装置１１と、記憶手段としての図面用記憶装置１２が接続されている。該文献用記憶装置１１と該図面用記憶装置１２には、特許庁に出願された特許文献が記憶されている。特許文献は、願書、明細書、要約書及び図面を含み、特許法に定められた書式に従って作成された文献である。
【００１７】
文献用記憶装置１１について説明する。
図２に示すように、文献用記憶装置１１は、特許庁により各特許文献に付与された出願番号から構成された第１の出願番号リスト１３が記憶されている。該第１の出願番号リスト１３の出願番号に関係付けられて、明細書データ１４、願書データ１５、図面の数が表されたデータ１６（以下、図数データ１６）、図面の分類リスト１７等が記憶されている。
【００１８】
ここで、明細書データ１４は、特許法に定められた書式に従って作成された文章データであり、墨付き括弧で囲まれた識別子によってその内容が分類整理されている。また、願書データ１５は、特許法に定められた書式に従って書誌的事項が記載された文書データであり、墨付き括弧で囲まれた識別子によってその内容が分類整理されている。
【００１９】
尚、本実施形態において、識別子には、段落を示すために墨付き括弧で囲まれた段落番号として表された識別子「Ｎ」（尚、Ｎは、１以上の整数）、識別子「図面の簡単な説明」、識別子「図Ｍ」（図Ｍは、図面番号を示し、Ｍは、１以上の整数である）、識別子「発明の名称」等がある。また、前記識別子「Ｎ」が示す内容は、原則として該識別子「Ｎ」の次の文字から次の識別子「Ｎ＋１」の直前の文字までの間の内容であり、例外として次の識別子「Ｎ＋１」がない場合、つまり、識別子「Ｎ」が最後の段落の内容を示す場合は、文書データの最後までである。前記識別子「図面の簡単な説明」が示す内容は、該識別子「図面の簡単な説明」の次の文字から文書データの終わりまでの間の内容である。前記識別子「図Ｍ」が示す内容は、該識別子「図Ｍ」の次の文字から改行文字までの間の内容である。識別子「発明の名称」が示す内容は、該識別子「発明の名称」の次の文字から改行文字までの間の内容である。
【００２０】
図数データ１６は、明細書にて引用されている図面の数であり、具体的には、明細書データ１４において、識別子「図面の簡単な説明」が示す内容の中に含まれる識別子「図Ｍ」の数が図面の数となる。この図面の数は、明細書データ１４が文献用記憶装置１１に記憶されるときに、パソコン１０により調べられ、図数データ１６として第１の出願番号リスト１３の出願番号に関係付けられて記憶される。
【００２１】
図３に示すように、図面の分類リスト１７は、図面の種類を表すデータが関係付けられた図面番号のリストのことである。各図面が分類される種類は、予め決められており、例えば、構成図、斜視図、断面図、グラフ、フローチャート、回路図等に分類される。
【００２２】
この分類リスト１７は、明細書データ１４を文献用記憶装置１１に記憶するときに、パソコン１０が文献調査支援プログラムを実行して、該パソコン１０により作成される。
【００２３】
この分類リスト１７の作成方法について説明する。
パソコン１０は、取得した特許文献の明細書データ１４を文献用記憶装置１１に記憶するときに、文献調査支援プログラムに基づいて、明細書データ１４に含まれる識別子「図Ｍ」が示す内容から予め定められた分類文字列を抽出し、抽出した分類文字列によって図面の種類を特定する。この分類文字列は、図面の種類を表す文字列であって、例えば、「＊＊図」（＊は、漢字である）という名詞、または、「フローチャート」、「グラフ」、「タイミングチャート」等のカナ文字からなる図面を表す名詞等である。そして、パソコン１０は、特定した図面の種類を図面番号に関係付ける。
【００２４】
パソコン１０は、この図面の種類の特定処理を、図面番号「図１」から順番に繰り返し、各図面番号に図面の種類を関係付けた分類リスト１７を作成する。その後、パソコン１０は、作成した分類リスト１７をそれぞれ出願番号に関係付けて文献用記憶装置１１に記憶する。パソコン１０は、この分類リスト１７を活用して、図面を検索する。
【００２５】
図面用記憶装置１２について説明する。
図４に示す図面用記憶装置１２には、出願番号から構成される第２の出願番号リスト１８が記憶されており、それぞれの出願番号に関係付けられて、図面番号から構成される図番リスト１９が記憶されている。さらに、それぞれの図面番号には、その図面番号が示す図面のデータ２０（以下、単に図面データ２０という）が関係付けられて記憶されている。このように、図面用記憶装置１２は、各特許文献の図面データ２０を図面番号ごとに区分けしており、出願番号及び図面番号を指定されることで図面データ２０が特定される。
【００２６】
パソコン１０について説明する。
パソコン１０は、文献調査支援プログラムが備えられており、該文献調査支援プログラムは、パソコン１０に、明細書の検索処理、図面の種類を判別させる判別処理、図面を一覧表示させる表示処理等を実行させる。
【００２７】
また、図１に示すパソコン１０は、表示部２１と、入力手段としてのマウス２２と、入力手段としてのキーボード２３と、が備えられている。
ここで、パソコン１０にて、文献調査を行う際の手順について説明する。
【００２８】
調査者が、文献調査を行うために、パソコン１０にて文献調査支援プログラムを実行させると、パソコン１０は、図５に示す検索メニュー画面５１を表示部２１に表示する。
【００２９】
検索メニュー画面５１には、検索メニュー欄５２と、検索キーワードを入力するためのテキストボックス５３と、検索対象とする特許文献の出願年を指定するための検索年チェック欄５４と、検索開始を指示するための検索開始ボタン５５と、が表示される。
【００３０】
検索メニュー欄５２は、テキストボックス５３に入力された検索キーワードを検索する範囲を指定するために使用される。本実施形態の検索メニュー欄５２には、オプションボタン５２ａ、オプションボタン５２ｂ、オプションボタン５２ｃ、オプションボタン５２ｄが含まれる。尚、検索メニュー欄５２のオプションボタン５２ａ〜５２ｄは、いずれか一つしか選択することができない。
【００３１】
オプションボタン５２ａが選択されると、パソコン１０は、検索キーワードを識別子「発明の名称」が示す内容から検索する。オプションボタン５２ｂが選択されると、パソコン１０は、検索キーワードを特許文献の願書データ１５から検索する。オプションボタン５２ｃが選択されると、パソコン１０は、検索キーワードを特許文献に含まれる要約書のデータから検索する。オプションボタン５２ｄが選択されると、パソコン１０は、検索キーワードを識別子「国際特許分類」が示す内容から検索する。尚、識別子「国際特許分類」が示す内容とは、識別子「国際特許分類」の次の文字から次の識別子の直前の文字までの間の内容である。  また、検索年チェック欄５４は、検索対象とする特許文献の出願年を指定するために使用される。本実施形態の検索年チェック欄５４には、チェックボックス５４ａ〜チェックボックス５４ｆが含まれる。尚、検索年チェック欄５４のチェックボックス５４ａ〜５４ｆは複数選択することができる。チェックボックス５４ａが選択されると、１９９７年に出願された特許文献が検索対象となる。チェックボックス５４ｂが選択されると、１９９８年に出願された特許文献が検索対象となる。チェックボックス５４ｃが選択されると、１９９９年に出願された特許文献が検索対象となる。チェックボックス５４ｄが選択されると、２０００年に出願された特許文献が検索対象となる。チェックボックス５４ｅが選択されると、２００１年に出願された特許文献が検索対象となる。チェックボックス５４ｆが選択されると、２００２年に出願された特許文献が検索対象となる。
【００３２】
マウス２２にてオプションボタン５２ａ〜５２ｄ及びチェックボックス５４ａ〜５４ｆがそれぞれ選択され、キーボード２３にて検索キーワードがテキストボックス５３に入力された後、マウス２２にて検索開始ボタン５５が選択されると、パソコン１０は、入力された条件に従って明細書検索処理を行う。
【００３３】
この明細書検索処理を図面に即して説明する。
図６に示すように、マウス２２にて、オプションボタン５２ａとチェックボックス５４ｄが選択され、検索キーワード「エンジン」がテキストボックス５３に入力された後、検索開始ボタン５５が選択されると、パソコン１０は、文献調査支援プログラムに基づいて明細書の検索を開始する。
【００３４】
まず、パソコン１０は、文献用記憶装置１１を参照し、第１の出願番号リスト１３の各出願番号に関係付けられた明細書データ１４の識別子「発明の名称」が示す内容に該検索キーワード「エンジン」を含むものを検索する。
【００３５】
そして、パソコン１０は、検索キーワード「エンジン」を識別子「発明の名称」が示す内容に含む明細書データ１４に関係付けられた出願番号のリスト（以下、単に第１の結果リストという）を作成する。
【００３６】
また、パソコン１０は、文献用記憶装置１１を参照し、チェックボックス５４ｄが選択されたことを受けて、第１の出願番号リスト１３と関係付けられた願書データ１５を参照して出願年が２０００年である出願の出願番号を検索する。そして、パソコン１０は、検索した結果を出願番号で取得し、取得した出願番号をまとめて、出願番号のリスト（以下、単に第２の結果リストという）を作成する。
【００３７】
そして、パソコン１０は、第１の結果リストと第２の結果リストを比較し、共通する出願番号のリスト（以下、検索結果リスト５６という）を作成する。
次に、図７に示すように、パソコン１０は、文献用記憶装置１１を参照して、調査対象とする検索結果リスト５６に含まれる出願番号に関係付けられた各データから各文献の発明の名称、出願日を検索し、それらとともに検索結果リスト５６を検索メニュー画面５１の結果表示欄５１ａに表示する。また、パソコン１０は、検索結果リスト５６とともに、それぞれの出願番号を表した明細書呼出ボタン５７を表示する。マウス２２にてこの明細書呼出ボタン５７が選択されると、パソコン１０は、文献用記憶装置１１を参照し、該明細書呼出ボタン５７に表された出願番号に関係付けられた明細書データ１４を検索し、該明細書データ１４に基づいて、明細書を表示部２１に表示する（図示略）。
【００３８】
また、パソコン１０は、結果表示欄５１ａに検索結果リスト５６を表示する際、検索結果リスト５６に続いて、表示させる対象とする図面の種類を指定する図面検索メニュー欄５８と、表示する図面のサイズを指定するサイズ指定欄５９と、一覧表示開始ボタン６０と、を表示する。
【００３９】
図面検索メニュー欄５８には、「断面図」を指定するためのチェックボックス５８ａ、「側面図」を指定するためのチェックボックス５８ｂ、「平面図」を指定するためのチェックボックス５８ｃ、「斜視図」を指定するためのチェックボックス５８ｄが含まれる。さらに、図面検索メニュー欄５８には、「回路図」を指定するためのチェックボックス５８ｅ、「構成図」を指定するためのチェックボックス５８ｆ、「フローチャート」を指定するためのチェックボックス５８ｇ、「ブロック図」を指定するためのチェックボックス５８ｈが含まれる。検索メニュー欄５８のチェックボックス５８ａ〜５８ｂは、いずれか一つしか選択することができない。
【００４０】
ここで、例えば、チェックボックス５８ａがマウス２２にて選択されると、パソコン１０は、検索結果リスト５６の特許文献に含まれる「断面図」を表示対象とする。同様に、チェックボックス５８ｂ〜５８ｈがマウス２２にて選択されることにより、表示対象とする図面の種類が決定される。
【００４１】
また、サイズ指定欄５９には、図面の大きさを「大」にするオプションボタン５９ａ、図面の大きさを「中」にするオプションボタン５９ｂ、図面の大きさを「小」にするオプションボタン５９ｃが含まれる。これらのオプションボタン５９ａ〜５９ｃがマウス２２にて選択されることで、図面を表示部２１に一覧表示する際の図面の大きさが決定する。尚、オプションボタン５９ａ〜５９ｃはマウス２２にていずれか一つしか選択することができない。
【００４２】
マウス２２にてチェックボックス５８ａ〜５８ｈ及びオプションボタン５９ａ〜５９ｃが選択され、一覧表示開始ボタン６０が選択されると、パソコン１０は、文献調査支援プログラムに基づいて、選択された条件に従って表示処理を行う。
【００４３】
この表示処理について説明する。
図８において、マウス２２にてチェックボックス５８ｇとオプションボタン５９ｂが選択された後、一覧表示開始ボタン６０が選択されると、まず、パソコン１０は、検索結果リスト５６に含まれる出願番号と関係付けられた図面の分類リスト１７を参照する。
【００４４】
そして、パソコン１０は、該図面の分類リスト１７から図面の種類が「フローチャート」である図面の図面番号を判別する判別処理を行い、該図面番号と関係付けられた出願番号とともに取得する。パソコン１０は、その取得した図面番号と、出願番号とから、図面用記憶装置１２を参照して図面データ２０を取得する。
【００４５】
パソコン１０は、このように、検索結果リスト５６にて示された特許文献の図面データ２０の中から、図面検索メニュー欄５８にて指定された図面の種類「フローチャート」に該当する図面データ２０を全て取得する。
【００４６】
そして、図９に示すように、パソコン１０は、取得した図面データ２０に基づいて、指定された図面の種類「フローチャート」に該当する図面が一覧表示された一覧表示画面６１を表示部２１に表示する。
【００４７】
尚、その際、パソコン１０は、一覧表示する図面の大きさを、サイズ指定欄５９にて指定された大きさ「中」にして表示する。また、一覧表示画面６１に表示しきれない部分がある場合、パソコン１０は、縦スクロールさせるための縦スクロールバー６１ａまたは横スクロールさせるための横スクロールバー６１ｂを表示して、マウス２２にて一覧表示画面６１を動かせるようにする。
【００４８】
このとき、パソコン１０は、各図面とともに拡大表示ボタン６２と出願番号を表した明細書呼出ボタン５７を一覧表示画面６１に表示する。
拡大表示ボタン６２は、それぞれの図面に関係付けられている。該拡大表示ボタン６２がマウス２２にて選択されると、図１０に示すように、パソコン１０は、文献調査支援プログラムに基づいて、表示部２１に調査画面６３を表示し、該調査画面６３に該拡大表示ボタン６２と関係付けられた図面を拡大表示する拡大表示処理を実行する。また、マウス２２にて明細書呼出ボタン５７が選択されると、パソコン１０は、前述したように、明細書呼出ボタン５７で表された出願番号に関係付けられた明細書データ１４に基づいて、明細書を表示部２１に表示する。
【００４９】
続いて、段落検索処理の手順について説明する。
図９に示す一覧表示画面６１において、マウス２２にて出願番号「１２３４５６」の図面に関係付けられた拡大表示ボタン６２が選択されると、前述したように、パソコン１０は、選択された拡大表示ボタン６２と関係付けられた図面を調査画面６３に拡大表示する。
【００５０】
その際、図１０に示すように、パソコン１０は、該図面とともに、該図面の図面データ２０と関係付けられた出願番号「１２３４５６」を表した明細書呼出ボタン５７を表示する。また、パソコン１０は、該図面データ２０と関係付けられた図面番号「図３」を表した段落呼出ボタン６４を表示する。
【００５１】
ここで、段落呼出ボタン６４がマウス２２にて選択されると、パソコン１０は、該段落呼出ボタン６４にて表された図面番号「図３」と、該図面番号「図３」と関係付けられた出願番号「１２３４５６」とから、明細書データ１４を検索する。そして、パソコン１０は、該明細書データ１４において、段落番号を表す識別子「０００１」の後から順番に、図面番号「図３」の文字列と最初に一致する箇所を検索する。パソコン１０は、最初に一致する箇所を検索した後、それがどの段落に含まれるか、つまり、どの段落番号を表す識別子「Ｎ」が示す内容に含まれるか特定する。
【００５２】
パソコン１０は、図面番号「図３」の文字列が識別子「００２３」が示す内容に含まれていると特定した後、特定した識別子「００２３」が示す内容を取得する。次に、図１１に示すように、パソコン１０は、その内容を調査画面６３の関連文書表示欄６３ａに表示する。その際、パソコン１０は、識別子「図３」が示す内容も取得し、該識別子「００２３」が示す内容ともに関連文書表示欄６３ａに表示する。
【００５３】
次に、図面編集処理について説明する。
前述のように、調査画面６３にて図面を拡大表示させたとき、パソコン１０は、図１０及び図１１に示すように、拡大した図面に該図面の本来の図面番号「図３」とは関係のない編集番号６５ａを付与する。該編集番号６５ａは、墨付き括弧で囲まれた「図１」というように表示される。
【００５４】
ここで、調査者のマウス２２の操作にて一覧表示画面６１に戻り、出願番号「７８９０１２」の図面番号「図６」の図面に関係付けられた拡大表示ボタン６２が選択されたとする。
【００５５】
選択された後、パソコン１０は、図１２に示すように、編集番号６５ａが付与された図面に続いて、選択された拡大表示ボタン６２と関係付けられた図面を前記調査画面６３に拡大表示する。その際、パソコン１０は、文献調査支援プログラムに基づいて、図面を拡大表示するとともに、該図面に墨付き括弧で囲まれた「図２」というように表された編集番号６５ｂを付与する。
【００５６】
このように、パソコン１０は、文献調査支援プログラムに基づいて、調査画面６３に図面を拡大表示するごとに、通し番号である編集番号６５ａ、６５ｂを図面に付与していく。
【００５７】
パソコン１０は、図１０〜図１２に示す調査画面６３に表示された図面及び段落を調査画面６３から削除するための削除実行ボタン６６がマウス２２にて選択されない限り、拡大表示した図面を拡大表示した順番に記憶し、編集番号６５ａ、６５ｂを付与する。
【００５８】
以上詳述したように本実施の形態は、以下の特徴を有する。
（１）パソコン１０は、文献調査支援プログラムに基づいて、検索結果リスト５６にて示される複数の特許文献に含まれる図面の中から、マウス２２にて指定された種類に該当する図面を一覧表示する。このため、先行技術文献を探す際に、手がかりとして最適な図面を探し出すために、複数の特許文献に含まれる同じ種類の図面を並べて見比べることができる。そして、調査者は、先行技術文献を調査する際の手がかりとして最適な図面を探し出すための手間と時間を少なくすることができる。
【００５９】
（２）段落呼出ボタン６４がマウス２２にて選択されると、パソコン１０は、文献調査支援プログラムに基づいて、該段落呼出ボタン６４にて表された図面番号と、該図面番号と関係付けられた出願番号とから、明細書データ１４を検索する。そして、パソコン１０は、該図面番号と一致する文字列を含む最初の段落を該明細書データ１４から検索する。パソコン１０は、該段落、即ち、段落番号で表された識別子「Ｎ」が示す内容を調査画面６３に表示する。
【００６０】
このため、調査者が、一覧表示画面６１から先行技術文献を探し出すための手がかりとして適当であると思われる図面を発見したとき、その図面について詳細な説明が記載されている段落を容易に探し出すことができる。また、調査者は、図面番号から明細書のどこに該図面について説明されているかを探し出す手間や時間が省くことができる。
【００６１】
（３）パソコン１０は、削除実行ボタン６６が選択されない限り、拡大表示した図面を拡大表示した順番に記憶する。このため、調査者は、図面の種類を問わず、調査画面６３に選択した図面を並べて表示することが可能となる。また、それぞれの図面について段落検索処理を行うことで、図面についての説明も並べて表示することが可能となる。即ち、調査者は、手がかりとして最適な図面を容易に探し出すことができる。
【００６２】
（４）図面を拡大表示する際、パソコン１０は、拡大表示した順に、編集番号６５ａ、６５ｂを付与する。このため、調査者が、先行技術文献を利用して、新たな出願のために図面を作成しようとするときに、編集の手間を省くことができる。
【００６３】
なお、上記以外に次の形態にて具体化できる。
・上記実施形態では、出願番号に特許文献のデータを関係付けたが、各特許文献を特定することが可能な番号であるならば、これに限られない。例えば、公開番号、整理番号、登録番号等でもよい。
【００６４】
・上記実施形態では、パソコン１０は、特許文献を文献用記憶装置１１に記憶するとき、予め図面の数の判別及び図面の分類を行っていたが、行わなくてもよい。
【００６５】
この場合、一覧表示開始ボタン６０が選択されたときに、パソコン１０は、調査者により指定された図面の種類を表す分類文字列が、調査対象とする明細書の識別子「図Ｍ」が示す内容に含まれるか否か検索する。前記文字列が、識別子「図Ｍ」が示す内容に含まれる場合、パソコン１０は、文献調査支援プログラムに基づいて、該図面番号「図Ｍ」と、該図面番号に関係付けられた出願番号を取得する。そして、パソコン１０は、図面用記憶装置１２を参照して、取得した出願番号及び図面番号から図面データ２０を取得する。
【００６６】
パソコン１０は、調査対象とする特許文献全てについて同様の処理を行い、調査者により指定された図面の種類に該当する図面データ２０を全て取得する。その後、パソコン１０は、取得した図面データ２０をサイズ指定欄５９において指定された大きさで、一覧表示画面６１に表示する。
【００６７】
・上記実施形態では、明細書データ１４等を文献用記憶装置１１に記憶し、図面データを図面用記憶装置１２に記憶したが、一つの記憶装置にまとめて記憶してもよい。
【００６８】
・上記実施形態では、段落検索処理において、パソコン１０は、図面番号と一致する文字列を含む最初の段落のみを検索していたが、指定された図面番号と同じ文字列を含む段落を全て検索して調査画面６３に表示してもよい。
【００６９】
・上記実施形態において、検索メニュー欄５２にて選択できるチェックボックス５２ａ〜５２ｄはこれに限らない。特許文献を検索するのに利用できる範囲を指定するためのチェックボックスならば、何でもよい。
【００７０】
・上記実施形態において、図面が分類される種類として、模式図、側面図、平面図、正面図、背面図、底面図、原理図、構成図、ブロック図、分解図、展開図、説明図、手順図、例示図、遷移図、画面図、波形図、特性図、比較図、配置図、系統図、構造図、信号図を採用してもよい。また、これ以外にも、図面が分類される種類として、ツリー図、データ、システム、マップ、等を採用してもよい。この場合、図面検索メニュー欄５８にてこれらの図面の種類が選択できるようなチェックボックスを設ける。
【００７１】
（イ）前記表示処理において、前記パソコンが、図面データの表示する大きさを前記入力手段にて指示された大きさに変更して前記表示部に一覧表示することを特徴とする請求項１に記載の文献調査支援プログラム。
【００７２】
（ロ）前記段落表示処理において、前記パソコンが、前記特定した該特許文献の明細書データから指定された該図面番号と一致する文字列を含む最初の段落を検索し、該段落を前記表示部に表示することを特徴とする請求項３に記載の文献調査支援プログラム。
【００７３】
（ハ）特許法に従った書式で作成された特許文献を記憶した記憶手段と接続されたパソコンが、前記パソコンに備えられた表示部に前記特許文献に含まれる図面を表示する文献調査支援プログラムにおいて、前記パソコンに、前記特許文献に含まれる明細書のデータに基づいて、該明細書に記載された墨付き括弧で囲まれた識別子「図面の簡単な説明」が示す内容を解析し、図面の種類を判別する判別処理と、複数の特許文献に含まれる図面の種類を前記判別処理にて判別された後、前記パソコンに備えられた入力手段にて指定された種類に該当する図面を特定し、特定した図面を前記表示部に一覧表示する表示処理と、を実行させることを特徴とする文献調査支援プログラム。
【００７４】
【発明の効果】
以上詳述したように、本発明によれば、先行技術文献を容易かつ迅速に調査可能に図面を表示することができる。
【図面の簡単な説明】
【図１】パソコンの概略構成図。
【図２】文献用記憶装置の説明図。
【図３】分類リストの説明図。
【図４】図面用記憶装置の説明図。
【図５】検索メニュー画面の画面図。
【図６】検索メニュー画面の画面図。
【図７】検索メニュー画面の画面図。
【図８】検索メニュー画面の画面図。
【図９】一覧表示画面の画面図。
【図１０】調査画面の画面図。
【図１１】調査画面の画面図。
【図１２】調査画面の画面図。
【符号の説明】
１０…パソコン、１１…文献用記憶装置、１２…図面用記憶装置、１３…第１の出願番号リスト、１４…明細書データ、１５…願書データ、１６…図数データ、１７…分類リスト、１８…第２の出願番号リスト、１９…図番リスト、２０…図面データ、２１…表示部、２２…マウス、２３…キーボード。
【図１】
2004151957.tif 000003
【図２】
2004151957.tif 000004
【図３】
2004151957.tif 000005
【図４】
2004151957.tif 000006
【図５】
2004151957.tif 000007
【図６】
2004151957.tif 000008
【図７】
2004151957.tif 000009
【図８】
2004151957.tif 000010
【図９】
2004151957.tif 000011
【図１０】
2004151957.tif 000012
【図１１】
2004151957.tif 000013
【図１２】
2004151957.tif 000014